【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
オブジェクトを３Ｄプリントするためのデスクトッププリント装置（１００）であって、前記デスクトッププリント装置（１００）は、
単一の一体ハウジング内に一列に配列されたプリントモジュール（２００）及びビルドモジュール（３００）と、
前記デスクトッププリント装置内に媒体入力部から前記ビルドモジュールまでの媒体搬送パス（１４０）を定める搬送手段（１５０）と、を備えており、
前記プリントモジュール（２００）は、媒体（５０１）にプリントして前記オブジェクトの媒体層を画定し、
前記ビルドモジュール（３００）は、ビルドプレート、カット手段、接合手段及び接着剤分注手段を備えており、また複数の個別媒体層から前記３Ｄオブジェクトを組み上げるように動作可能であり、
前記媒体（５００）は第１側面（５０５Ａ）及び第２側面（５０５Ｂ）を有しロール形態（５０１）で提供され、
前記プリントモジュール（２００）は、第１プリントステーション（２１０）及び第２プリントステーション（２２０）、並びに前記第１プリントステーションで前記媒体の第１側面に画像をプリントするように、また、前記第２プリントステーションで前記媒体の第２側面に画像をプリントするように構成されるプリントヘッド（２３０）を備え、
前記第１プリントステーション及び前記第２プリントステーションは、前記媒体搬送パス（１４０）に沿って間隔を置いて配置されており、
前記搬送手段（１５０）は、第１内側面においてロール形態の前記媒体を受け入れる内部サポート（１１０）と、第２外側面において前記媒体を前記第１プリントステーション（２１０）から前記第２プリントステーション（２２０）まで導く外部ガイド（１１３）とを画定するハウジング（１１２）と、
前記媒体を、前記内側サポート（１１０）に配置されるロールから、前記第１側面にプリントするための前記第１プリントステーション（２１０）まで直接搬送するとともに、前記第１側面にプリントされた前記媒体層を、前記第１プリントステーション（２１０）から、前記外部ガイド（１１３）を経て前記第２プリントステーション（２２０）まで搬送するように配置されるスプロケット送り（１６５）及びガイド（１１３、１６３）と、を備え、
前記媒体層を前記外部ガイド（１１３）で反転させて、前記媒体層の前記第２側面を前記第２プリントステーションに対して提供する、デスクトッププリント装置。
【請求項２】
請求項１に記載の装置において、前記ビルドモジュールは、選択的堆積ラミネーション（ＳＤＬ）によって、前記３Ｄオブジェクトを製造するように構成されている、装置。
【請求項３】
請求項１〜２のうちいずれか１項に記載の装置において、前記プリントモジュール（２００）及び前記ビルドモジュール（３００）は、以下の（ｉ）〜（ｉｖ）の１つ以上に従って配置される、
（ｉ）前記プリントモジュール（２００）及び前記ビルドモジュール（３００）は、単一の一体型装置（１００）内に一列に配置されており、また、
前記搬送手段（１５０）は、連続インライン搬送動作で、前記媒体を、入力部から前記プリントモジュールに搬送するように、また前記ビルドモジュールに搬送するように構成されており、
（ｉｉ）前記プリントモジュール（２００）及び前記ビルドモジュール（３００）は、前記搬送手段が前記装置を通して前記媒体を搬送するとき、同時に動作するように構成されており、
（ｉｉｉ）前記プリントモジュール（２００）及び前記ビルドモジュール（３００）は、前記搬送手段が連続して前記装置を通して前記媒体を搬送するときに、前記オブジェクトの異なる媒体層を画定する、前記媒体（５００）の異なる部分に同時に動作するように構成されており、
（ｉｖ）前記プリントモジュール（２００）及び前記ビルドモジュール（３００）は、前記搬送手段（１５０）が前記媒体を連続して前記装置を通して搬送するときに、独立して動作する、
装置。
【請求項４】
請求項１〜３のうちいずれか１項に記載の装置において、前記プリントモジュール（２００）は、前記媒体の両面プリント用に構成されており、前記オブジェクトの、プリントされた媒体層を画定するために、媒体層にプリントすべき画像対の第１画像（６００Ａ）が前記媒体の第１側面（５０５Ａ）にプリントされ、また前記画像対の第２画像（６００Ｂ）が前記第１画像に背中合わせとなるよう前記媒体の第２側面（５０５Ｂ）にプリントされる、装置。
【請求項５】
請求項１〜４のうちいずれか１項に記載の装置において、前記プリントモジュール（２００）は、更に、媒体の第１側面に基準マーク（６０５）をプリントするように構成されており、前記基準マークは、前記媒体の前記第１側面にプリントされた前記画像についての情報を提供するように構成されたマーク、例えば、ロケータマーク、又はプリント用の一連の前記画像から当該画像を認識するための画像識別子を含む、装置。
【請求項６】
請求項１〜５のうちいずれか１項に記載の装置において、前記搬送手段（１５０）は、送り機構及びコントローラを備えており、前記コントローラは、前記装置を通過する前記媒体の搬送、及び当該装置内での前記媒体の異なる部分の位置を制御するように構成されている、装置。
【請求項７】
請求項１〜６のうちいずれか１項に記載の装置において、更に、前記媒体の一部の位置を感知し、そして前記媒体の前記位置を制御又は補正するための出力をコントローラに供給するための感知手段（１７０）を備えている、装置。
【請求項８】
請求項１〜７のうちいずれか１項に記載の装置において、更に、
前記媒体の第１側面にプリントされた、画像、又は当該画像の一部、又は基準マークを感知するための感知手段（１７０）を備えており、また
前記感知手段（１７０）は、第１画像に背中合わせとなるよう前記媒体の前記第２側面における第２画像のプリントを制御するために、前記媒体の位置を制御する出力をコントローラに供給する、装置。
【請求項９】
請求項６〜８のうちいずれか１項に記載の装置において、前記コントローラは、任意の検出されたスキュー又は位置エラーを補正するために、前記装置を制御するように構成されている、装置。
【請求項１０】
請求項１〜９のうちいずれか１項に記載の装置において、以下の（ｉ）〜（ｉｖ）の１つ以上に従って配置される、
（ｉ）前記搬送手段（１５０）は、１つ以上の送りローラ、駆動ローラ、ピンチローラ、ニップローラ及びガイド手段を備えており、
（ｉｉ）前記搬送手段（１５０）は、前記装置内で前記媒体の異なる部分の位置を制御するために、時計方向及び反対側の反時計方向に動作するように構成された送りローラ（１６１）を備え、
（ｉｉｉ）前記搬送手段（１５０）は、更に、テイクアップローラ（１６４）を備え、前記媒体が前記装置を通過して搬送され、また、前記プリントモジュール及び前記ビルドモジュールを通過して搬送されるときに、前記媒体の張力を維持し、また前記プリントモジュール及び前記ビルドモジュールのそれぞれで前記媒体の異なる部分の正確な位置を付与し、
（ｉｖ）前記搬送手段（１５０）は、前記媒体が第１プリントステーションから第２プリントステーションに搬送されるときに、前記媒体を反転させるように構成されている、装置。
【請求項１１】
請求項１〜１０のうちいずれか１項に記載の装置において、媒体搬送パスは、媒体入力部から不用材料収集ポイントまで設けられている、装置。
【請求項１２】
請求項１〜１１のうちいずれか１項に記載の装置において、前記媒体（５００）は、媒体搬送パス（１４０）に沿って前記入力部から前記プリントモジュール及び前記ビルドモジュールまで連続して搬送され、当該媒体は、始めにプリントされ、引き続いて、前記組上げオブジェクトの媒体層を画定するようプロファイリングされる、装置。
【請求項１３】
請求項１〜１２のうちいずれか１項に記載の装置において、前記プリントヘッド（２３０）は、前記媒体の第１側面及び第２側面をプリントするために、第１プリントステーション（２１０）と第２プリントステーション（２２０）との間を移動可能である、装置。
【請求項１４】
請求項１〜１２のうちいずれか１項に記載の装置において、第１プリントステーション（２１０）及び第２プリントステーション（２２０）で前記媒体の第１表面及び第２表面に同時にプリントするための、第１プリントヘッド（２３０）及び第２プリントヘッド（２３０’）を備えている、装置。